(57)【要約】      （修正有）【課題】プラスチックプレート素材の折り畳みライン構造であり、特に折り畳んでプラスチックプレートからパレットの支持部材になれる折り畳みライン構造を提供する。【解決手段】プラスチックプレート１と複数の補強リブ１１を有し、前記プラスチックプレートの一面に、少なくとも一つの折り畳みライン１２が設けられ、各折り畳みラインに凹溝１２１が形成され、前記凹溝は、所定の深さと幅を有する。これにより、前記折り畳みラインがより薄い厚さを有し、前記補強リブは、前記プラスチックプレートにおける二つの外層１０の間に一体形成に設けられ、前記折り畳みラインのより薄い厚さと折り畳みやすい特徴により、前記プラスチックプレートを折り畳んでパレットの支持部材になる。【選択図】図１
0003169120.tif 000002
【実用新案登録請求の範囲】
【請求項１】
プラスチックプレートと複数の補強リブを有し、前記プラスチックプレートの一面に、少なくとも一つの折り畳みラインが設けられ、各折り畳みラインに凹溝が形成され、前記凹溝は、所定の深さと幅を有することにより、前記折り畳みラインがより薄い厚さを有すし、前記補強リブは、前記プラスチックプレートにおける二つの外層の間に一体形成に設けられ、前記折り畳みラインのより薄い厚さと折り畳みやすい特徴により、前記プラスチックプレートを折り畳んでパレットの支持部材になることを特徴とするプラスチックプレート素材の折り畳みライン構造。
【請求項２】
前記プラスチックプレートの材質は、PP材質のコルゲートプレート又はPC材質のコルゲートプレートから選ばれる一つのものであることを特徴とする請求項１に記載のプラスチックプレート素材の折り畳みライン構造。
【請求項３】
前記補強リブは、縦方向の補強リブ、斜方向の補強リブ、交差状の補強リブ又はV字形の補強リブから選ばれる一つのものであることを特徴とする請求項１に記載のプラスチックプレート素材の折り畳みライン構造。
【請求項４】
前記プラスチックプレートは、刀具によって前記折り畳みラインを切り出すことができることを特徴とする請求項１に記載のプラスチックプレート素材の折り畳みライン構造。
【請求項５】
前記プラスチックプレートは、ホットナイフによって熱溶解で前記折り畳みラインを形成することができることを特徴とする請求項１に記載のプラスチックプレート素材の折り畳みライン構造。
【請求項６】
前記折り畳みラインは、前記プラスチックプレートに一体形成されることができることを特徴とする請求項１に記載のプラスチックプレート素材の折り畳みライン構造。
【考案の詳細な説明】
【技術分野】
【０００１】
本考案は、プラスチックプレート素材の折り畳みライン構造であり、特に折り畳んでプラスチックプレートからパレットの支持部材になれる折り畳みライン構造に関するものである。
【背景技術】
【０００２】
一般に、従来のプラスチックパレットは、例えば、台湾実用新案出願第098213227号「プラスチックパレットの構造」に、物品を負荷するパレット上部の負荷面に複数のブロックが設けられ、且つ前記パレットの底部における支持面に前記ブロックに対応する孔が形成され、これらのブロックと孔とを嵌め合うことにより、二つのパレットを上下に重ねって配置することができ、更に、配置の際に、ガイドして位置決める効果を提供し、そして倒れやすくないように、複数のパレットを安定的に重ねって配置できることを開示した。又、パレットの負荷面と支持面との間に物品の重さを支持する複数の支持ブロックが設けられ、前記支持ブロックの側辺にパレットの強度を強化するための補強リブと固定部材が設けられることにより、力の集中による断裂を低減すると共に、物品を固定するためのロープや保護フィルムを便利に設置することができる。
【先行技術文献】
【特許文献】
【０００３】
【特許文献１】台湾実用新案出願第098213227号「プラスチックパレットの構造」
【考案の概要】
【考案が解決しようとする課題】
【０００４】
しかしながら、前記従来のプラスチックパレットは力の集中による断裂を低減すると共に、物品を固定するためのロープや保護フィルムを便利に設置することができるが、そのパレットの全体は一体形成であるため、重さが大きく、プラスチック素材の損耗量が大きく、更に回収できないためコストが高く、売価もたかいことにより、軽量化、低コスト化及び環境保護の要求を達成することができない。
【０００５】
したがって、前記従来のプラスチックパレットは沢山の欠点を有するので、優れた設計を有するものではなく、更に改良する必要がある。
【課題を解決するための手段】
【０００６】
本考案は前記従来のプラスチックパレットの欠点に鑑み、本考案のプラスチックプレート素材の折り畳みライン構造を提供する。
【０００７】
本考案の目的は、プラスチックプレート素材の折り畳みライン構造を提供することにより、プラスチックプレート素材を折り畳んでパレットの支持部材になることができる。
【０００８】
本考案の他の目的は、プラスチックプレート素材の折り畳みライン構造を提供することにより、プラスチックプレート素材を折り畳んでパレットの支持部材になり、更に複数の支持部材からプラスチックパレットに組み合わせることにより、プラスチックパレットのプラスチック素材の損耗を低減し、重さが降下し、防水且つコストが大幅に降下することができる。
【０００９】
上記の目的を達成するために本考案のプラスチックプレート素材の折り畳みライン構造は、プラスチックプレートと複数の補強リブを有し、前記補強リブは、前記プラスチックプレートにおける二つの外層の間に一体形成に設けられ、前記プラスチックプレートの一面に、少なくとも一つの折り畳みラインが設けられ、各折り畳みラインに凹溝が形成され、前記凹溝は、所定の深さと幅を有することにより、前記折り畳みラインがより薄い厚さを有する。本考案に係わるプラスチックプレート素材の折り畳みライン構造を使用する際、前記折り畳みラインのより薄い厚さと折り畳みやすい特徴により、前記プラスチックプレートを折り畳んでパレットの支持部材になり、更に複数の支持部材から軽量化、防水及び低コスト化のプラスチックパレットに組み合わせることができる。
【考案の効果】
【００１０】
本考案は上記の課題を解決するものであり、プラスチックプレートから折り畳んでパレットの支持部材になり、更に複数の支持部材からプラスチックパレットに組み合わせることにより、プラスチックパレットのプラスチック素材の損耗を低減し、重さが降下し、防水且つコストが大幅に降下することができる。
【図面の簡単な説明】
【００１１】
【図１】本考案に係るプラスチックプレート素材の折り畳みライン構造の斜視図である。
【図２】本考案に係るプラスチックプレート素材の折り畳みライン構造の断面図である。
【図３】本考案に係るプラスチックプレート素材の折り畳みライン構造の使用状態を示す平面図である。
【図４】本考案に係るプラスチックプレート素材の折り畳みライン構造から折り畳んでパレットの支持部材になる状態を示す側面図である。
【図５Ａ】本考案に係るプラスチックプレート素材の折り畳みライン構造の他の使用状態を示す断面図である。
【図５Ｂ】本考案に係るプラスチックプレート素材の折り畳みライン構造の他の使用状態を示す断面図である。
【図５Ｃ】本考案に係るプラスチックプレート素材の折り畳みライン構造の他の使用状態を示す断面図である。
【図５Ｄ】本考案に係るプラスチックプレート素材の折り畳みライン構造の他の使用状態を示す断面図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１及び図２に示すように、本考案に係わる「プラスチックプレート素材の折り畳みライン構造」について、主にはプラスチックプレート（１）と複数の補強リブ（１１）を有する。
【００１４】
その中、前記補強リブ（１１）は、前記プラスチックプレート（１）における二つの外層（１０）の間に一体形成に設けられることにより、前記プラスチックプレート（１）をプラスチックコルゲートプレートになる。
【００１５】
前記プラスチックプレート（１）の一面に少なくとも一つの折り畳みライン（１２）が設けられ、各折り畳みライン（１２）に凹溝（１２１）が形成され、前記凹溝（１２１）は、所定の深さと幅を有することにより、前記折り畳みライン（１２）がより薄い厚さ（D）を有する。
【００１６】
図３及び図４に示すように、本考案に係わるプラスチックプレート素材の折り畳みライン構造を使用する際、前記折り畳みライン（１２）のより薄い厚さ（D）と折り畳みやすい特徴により、前記プラスチックプレート（１）を折り畳んでパレットの支持部材（１３）になり、更に複数の支持部材（１３）から軽量化、防水及び低コスト化のプラスチックパレット（図面なし）に組み合わせることができる。
【００１７】
又、前記プラスチックプレート（１）の材質は、PP（ポリプロピレン）材質のコルゲートプレート又はPC（ポリカーボネート）材質のコルゲートプレートであり、製造したプラスチックパレットは、回収できて繰り返して使用することができ、汚染を低減し、更に環境保護の効果を図ることができる。
【００１８】
図５A〜図５Dに示すように、前記補強リブ（１１）は、縦方向の補強リブ、斜方向の補強リブ、交差状の補強リブ又はV字形の補強リブなどであっても良い。
【００１９】
前記プラスチックプレート（１）は、刀具によって前記折り畳みライン（１２）を切り出すことができる。
【００２０】
前記プラスチックプレート（１）は、ホットナイフによって熱溶解で前記折り畳みライン（１２）を形成することができる。
【００２１】
前記折り畳みライン（１２）は、前記プラスチックプレート（１）に一体形成されることができる。
【００２２】
前記詳細な説明は、本考案に係わるプラスチックプレート素材の折り畳みライン構造に関する一つの実施形態であり、本考案の実用新案登録請求の範囲はその実施形態に限られてはなく、本考案の実用新案登録請求の範囲に離脱しない変更や等しい効果の実施、例えば等しい効果の変更の他の実施形態でも本考案の実用新案登録請求の範囲に含まれておる。
【産業上の利用可能性】
【００２３】
本考案に係るプラスチックプレート素材の折り畳みライン構造は、前記先行文献や他の従来技術と比較すると、更に下記のようなメリットを有する。
１.プラスチックプレートから折り畳んでパレットの支持部材になることができる。
２. プラスチックプレートから折り畳んでパレットの支持部材になり、更に複数の支持部材からプラスチックパレットに組み合わせることにより、プラスチックパレットのプラスチック素材の損耗を低減し、重さが降下し、防水且つコストが大幅に降下することができる。
３. 回収できて繰り返して使用することができ、更に環境保護の効果を図ることができる。
【符号の説明】
【００２４】
１          プラスチックプレート
１０       外層
１１        補強リブ
１２        折り畳みライン
１２１      凹溝
１３        支持部材
D          厚さ
【図１】
0003169120.tif 000003
【図２】
0003169120.tif 000004
【図３】
0003169120.tif 000005
【図４】
0003169120.tif 000006
【図５Ａ】
0003169120.tif 000007
【図５Ｂ】
0003169120.tif 000008
【図５Ｃ】
0003169120.tif 000009
【図５Ｄ】
0003169120.tif 000010